(57)【要約】【課題】  ＣＭスキップ操作に対して、ＣＭ映像をユーザに視聴させる。【解決手段】  制御装置１８は、再生するコンテンツに対し、記録再生処理装置２２を介して記録媒体２４から、コンテンツ内の映像が本編かＣＭかを識別する識別情報と、再生回数情報とを含む再生情報を取得する。装置２２は、再生指定されたコンテンツを記録媒体２４から読み出し、映像１として映像処理装置２６に出力する。再生回数が所定値未満のとき、ＣＭに対するスキップ操作に対して、制御装置１８は装置２２にスキップ対象のＣＭ映像の再生を指示し、装置２２は、再生映像リサイズ処理装置２２ａによりそのＣＭ映像をリサイズし、映像２として映像処理装置２６に出力する。映像処理装置２６は、装置２２からの映像１，２を多重化して、表示装置２８に印加する。【選択図】  図１
2008042333.tif 000002
【特許請求の範囲】
【請求項１】
本編映像の間にＣＭ映像を含む映像コンテンツを再生する映像再生方法であって、
当該映像コンテンツの再生回数を含む再生情報を参照するステップと、
当該ＣＭ映像に対するスキップ操作を検出するＣＭスキップ検出ステップと、
当該映像コンテンツの当該再生回数が所定値未満である場合の当該ＣＭスキップ操作に対して、当該スキップ操作に応じたスキップ後の当該映像コンテンツの再生映像に、当該スキップ操作の対象となる当該ＣＭ映像の再生映像を多重化する多重化ステップ
とを具備することを特徴とする映像再生方法。
【請求項２】
更に、当該多重化ステップにおける当該ＣＭ映像の表示時間が、当該映像コンテンツの当該再生回数に応じて異なることを特徴とする請求項１に記載の映像再生方法。
【請求項３】
更に、当該多重化ステップにおける当該ＣＭ映像の表示サイズが、当該映像コンテンツの当該再生回数に応じて異なることを特徴とする請求項１又は２に記載の映像再生方法。
【請求項４】
更に、当該多重化ステップにおける当該ＣＭ映像の指定に応じて、当該多重化ステップによる多重再生を、当該ＣＭ映像の再生に切り替える切り替えステップを具備することを特徴とする請求項１乃至３の何れか１項に記載の映像再生方法。
【請求項５】
当該再生情報は、ＣＭ映像か本編映像かを識別する識別情報を含むことを特徴とする請求項１乃至４の何れか１項に記載の映像再生方法。
【請求項６】
本編映像の間にＣＭ映像を含む映像コンテンツを再生する映像再生装置であって、
当該映像コンテンツの再生回数を含む再生情報を記録する再生情報記録手段と、
当該映像コンテンツの、単独表示のための単独再生と、当該映像コンテンツと当該ＣＭ映像を同時に再生し多重表示する同時再生を選択的に実行可能な再生装置と、
スキップ操作手段と、
当該スキップ操作手段によるスキップ操作がＣＭ映像に対するものかどうかを検出するＣＭスキップ検出手段と、
当該映像コンテンツの当該再生回数が所定値未満である場合の、当該単独再生中のＣＭスキップ操作に対して、当該再生装置を制御して、当該ＣＭスキップ操作の対象となった当該ＣＭ映像の当該同時再生による多重表示を実行させる制御手段
とを具備することを特徴とする映像再生装置。
【請求項７】
当該制御手段は、当該映像コンテンツの当該再生回数に応じて、当該同時再生における当該ＣＭ映像の表示時間を変更することを特徴とする請求項６に記載の映像再生装置。
【請求項８】
当該制御手段は、当該映像コンテンツの当該再生回数に応じて、当該同時再生における当該ＣＭ映像の表示サイズを変更することを特徴とする請求項６又は７に記載の映像再生装置。
【請求項９】
更に、当該同時再生で再生される当該ＣＭ映像の当該単独再生による再生を指示する指示手段を具備し、
当該制御手段は、当該指示手段の指示に応じて、当該再生装置を制御して、当該ＣＭ映像を当該同時再生で再生させる
ことを特徴とする請求項６乃至８の何れか１項に記載の映像再生装置。
【請求項１０】
当該再生情報は、ＣＭ映像か本編映像かを識別する識別情報を含むことを特徴とする請求項６乃至９の何れか１項に記載の映像再生装置。
【発明の詳細な説明】
【技術分野】
【０００１】
本発明は、映像信号を再生する映像再生方法及び装置に関する。
【背景技術】
【０００２】
多くのテレビ放送、例えば地上波における民間放送においては、民間各社が番組提供のために番組スポンサーを募り、そのスポンサー料や広告料により放送業務を運営し、一般視聴者に対して無料で放送番組を提供している。そのために、提供番組の冒頭、途中又は最後などに、コマーシャルメッセージ（以下、ＣＭ）を挿入することが一般的である。
【０００３】
家庭用ビデオレコーダの普及と機能向上に伴い、放送番組を録画しておき、後から録画した放送番組を視聴する視聴方法も多くなっている。視聴者は、このように録画された放送番組を視聴する場合に、番組の冒頭又は途中に挿入されているＣＭをスキップして視聴したいとする要望がある。最近のビデオレコーダはハードディスク又は光ディスクのようなランダムアクセス可能な記録媒体を使用することから、簡単な操作でＣＭをスキップする機能を装備するものが増えている。
【０００４】
こうした背景から、録画した放送番組を視聴する場合に、放送番組内のＣＭを視聴する機会が急激に減少し、番組スポンサーにとって広告料に見合った十分な広告効果が得られなくなり、現在のような放送番組形態が成り立たなくなる可能性がある。
【０００５】
こうした問題に対処するために、データ放送として受信したＣＭデータを受信機内部に蓄積しておくとともに、通常放送におけるＣＭ視聴時間を計測し、ＣＭの視聴が不十分である場合には強制的にＣＭデータを表示する放送システムが提案されている（特許文献１参照）。
【０００６】
また、放送番組信号に表示回数情報を付加し、受信側では、その表示回数情報の表示回数だけ表示されるまで強制的にＣＭを視聴させる放送システムが提案されている（特許文献２参照）。
【特許文献１】特開２００１−１３６４７１号公報
【特許文献２】国際出願公開公報ＷＯ２００３／０３２４３０
【発明の開示】
【発明が解決しようとする課題】
【０００７】
特許文献１および特許文献２に記載の技術は、いずれも、新たな情報を現在の放送形態に加えて送信する必要があり、現在の番組提供形態のままでは実現することが困難である。また、視聴者の見地からすると、ＣＭは必ずしもスキップして視聴したいわけではなく、個人の嗜好にあったＣＭであれば意図的に視聴したい場合も少なくない。
【０００８】
そこで、本発明は、ＣＭスキップされた場合でも視聴者により部分的にＣＭを視聴して貰うことができ、また、視聴してもらうことで、視聴者にとって魅力的なＣＭであったならばその本来のＣＭを視聴者に提示して容易に視聴できる映像再生方法及び装置を提示することを目的とする。
【課題を解決するための手段】
【０００９】
本発明に係る映像再生方法は、本編映像の間にＣＭ映像を含む映像コンテンツを再生する映像再生方法であって、当該映像コンテンツの再生回数を含む再生情報を参照するステップと、当該ＣＭ映像に対するスキップ操作を検出するＣＭスキップ検出ステップと、当該映像コンテンツの当該再生回数が所定値未満である場合の当該ＣＭスキップ操作に対して、当該スキップ操作に応じたスキップ後の当該映像コンテンツの再生映像に、当該スキップ操作の対象となる当該ＣＭ映像の再生映像を多重化する多重化ステップとを具備することを特徴とする。
【００１０】
本発明に係る映像再生装置は、本編映像の間にＣＭ映像を含む映像コンテンツを再生する映像再生装置であって、当該映像コンテンツの再生回数を含む再生情報を記録する再生情報記録手段と、当該映像コンテンツの、単独表示のための単独再生と、当該映像コンテンツと当該ＣＭ映像を同時に再生し多重表示する同時再生を選択的に実行可能な再生装置と、スキップ操作手段と、当該スキップ操作手段によるスキップ操作がＣＭ映像に対するものかどうかを検出するＣＭスキップ検出手段と、当該映像コンテンツの当該再生回数が所定値未満である場合の、当該単独再生中のＣＭスキップ操作に対して、当該再生装置を制御して、当該ＣＭスキップ操作の対象となった当該ＣＭ映像の当該同時再生による多重表示を実行させる制御手段とを具備することを特徴とする。
【発明の効果】
【００１１】
本発明によれば、番組中に挿入されたＣＭ映像に対してスキップ操作が行われた場合であっても、スキップ後の再生映像にＣＭ再生映像を多重表示することで、ＣＭ映像を視聴者に視聴して貰うことが可能となる。また、多重表示されたＣＭ映像を選択再生できるようにすることで、視聴者の嗜好に合ったＣＭ映像の場合には、容易にそのＣＭ映像を選択再生して視聴することが可能となる。
【発明を実施するための最良の形態】
【００１２】
以下、図面を参照して、本発明の実施例を詳細に説明する。
【実施例１】
【００１３】
図１は、本発明の第１実施例である映像再生装置の概略構成ブロック図を示す。
【００１４】
操作部１６は、映像再生装置１０に対するコントローラであり、制御装置１８は、ユーザ操作により操作部１６から送信される信号に基づいて映像再生装置１０の動作を制御する。操作部１６は、記録・再生を指示する操作キーに加え、録画映像をスキップするスキップボタン、及び、各種操作・設定を行うためのメニューボタンを含む。
【００１５】
チューナ１４は、アンテナ１２により受信したテレビジョン放送信号から指定のチャンネルの映像音声信号を抽出する。コンテンツ検出装置２０は、チューナ１４からの映像音声信号の音声多重モード（ステレオ、モノラル又は２ヶ国語）に従い、ＣＭと番組の切り換わり点を検出し、その切り換わり点を示す再生時のインデックス情報と、コンテンツがＣＭであると判定した場合には、ＣＭであることを示すＣＭコンテンツ情報を制御装置１８に送信する。コンテンツ検出装置２０はまた、入力する映像音声信号をそのまま記録再生処理装置２２に供給する。
【００１６】
制御装置１８は、インデックス情報とＣＭコンテンツ情報を含むシステムデータを記録再生処理装置２２に供給する。記録再生処理装置２２は、コンテンツ検出装置２０からの映像音声信号と制御装置１８からのシステムデータを記録媒体２４に記録再生する。記録媒体２４は、光ディスク又は磁気ディスクなどのランダムアクセス可能な記録媒体である。具体的にはハードディスク、記録可能光ディスク、又は半導体メモリ等からなる。
【００１７】
記録再生処理装置２２は、再生映像リサイズ処理装置２２ａを具備する。再生映像リサイズ処理装置２２ａは、再生映像を制御装置１８から設定された任意のサイズに変換し、映像１及び映像２の２系統の映像信号出力の何れかから映像処理装置２６に出力できる。映像処理装置２６は、チューナ１４又は記録再生処理装置２２から供給される映像信号を表示装置２８に出力する。映像処理装置２６は、記録再生処理装置２２から供給される映像１及び映像２の２系統の映像信号を多重化して表示する機能を具備する。例えば、映像１をベース表示レイヤとして映像２の表示レイヤをオーバーレイした多重表示が可能である。
【００１８】
映像再生装置１０は、再生時にコンテンツ毎に再生回数を更新して保持する機能を具備し、図２に示す４ビットから成る再生情報として、コンテンツ毎に関連付けられて記録媒体２４に記録される。再生情報の最上位１ビットは、前述のＣＭコンテンツ情報を示し、このビットが’１’の時にＣＭコンテンツであることを示し、記録時にコンテンツがＣＭであると判定された場合にこのビットに’１’が設定される。下位３ビットが再生回数情報を示しており、０〜７までの再生回数が格納可能となっている。制御装置１８は、コンテンツ再生開始時にこの再生回数情報を記録媒体２４から記録再生装置２２を介して取得する。
【００１９】
図３は、再生回数情報の更新手順を示す。図３に示すフローチャートを参照して、再生回数情報の更新手順を説明する。
【００２０】
操作部１６から再生の指示が入力すると、制御装置１８は、再生対象となるコンテンツに関連付けられて記録されている再生情報から再生回数情報を取得する（Ｓ１）。未再生のコンテンツの場合、再生回数は０回となっている。
【００２１】
再生中に次のコンテンツに到達した場合（Ｓ３）、現在取得されている再生回数情報をインクリメントして更新し、再生情報として記憶媒体２４に書き戻す（Ｓ４）。尚、再生回数が７以上の場合、再生回数はそれ以上インクリメントされず、７のまま保持される。
【００２２】
以上の処理（Ｓ１，Ｓ３，Ｓ４）を、再生中止が指示されるまで（Ｓ２）、繰り返す。
【００２３】
このようにして、再生されたコンテンツの再生回数が上限値に到達するまでカウントされ、その再生回数情報が記録媒体２４に保持される。
【００２４】
制御装置１８は、再生中に操作部１６からキップ指示が入力し、そのスキップ対象がＣＭであった場合、図４に示すように、スキップ先の再生コンテンツ（コンテンツ１）に、スキップ指示されたＣＭコンテンツ（コンテンツ２）をオーバーレイした映像を表示装置２８の画面上に表示させる。図５は、その処理フローチャートを示す。
【００２５】
再生が開始されると、制御装置１８は、まず再生対象となるコンテンツに関連付けられて記録されている再生情報を取得する（Ｓ１１）。未再生のコンテンツの場合、再生情報内の再生回数は０回となっている。
【００２６】
通常は、２つの映像の多重表示中ではないので（Ｓ１２）、再生中止の指示（Ｓ１８）、又はＣＭスキップ指示（Ｓ１９）を待つ。
【００２７】
再生中に操作部１６からキップ指示が入力し、そのスキップ対象がそのコンテンツの再生情報内のＣＭコンテンツ情報からＣＭであると判定された場合（Ｓ１９）、制御装置１８は、取得された再生情報内の再生回数情報から、事前の設定に従い表示時間を算出する（Ｓ２０）。例えば、再生回数が０回の場合の表示時間を１５秒、再生回数が１回の場合の表示時間を１０秒、２回の場合の表示時間を５秒、３回以上の表示時間を０秒とする。勿論、その他の表示間の設定も可能である。
【００２８】
制御装置１８は、スキップ対象となったＣＭコンテンツの、算出された表示時間の間の多重表示を記録再生処理装置２２及び映像処理装置２６に指示する（Ｓ２１）。記録再生処理部装置２２は、スキップ後のコンテンツの再生映像（映像１）と、スキップの対象とされたＣＭコンテンツの再生映像（映像２）を映像処理装置２６に同時に出力し、映像処理装置２６は、図４に示すように映像１（コンテンツ１）に映像２（コンテンツ２）をオーバーレイした映像信号を生成し、表示装置２８に供給する。これにより、本来のコンテンツ上にＣＭコンテンツが多重表示される。記録再生処理装置２２は、連続スキップにより、例えば３つのＣＭコンテンツがスキップされた場合には、図６に示すように３つのコンテンツ再生映像を同一レイヤ上に構成して、再生映像（映像２）として出力することも可能である。
【００２９】
多重表示の間、多重表示開始からの多重表示時間が測定されている。多重表示が行われている間に、ＣＭ再生の指示が無く（Ｓ１３）、ステップＳ２０で算出された表示時間だけ経過すると（Ｓ１６）、制御装置１８は、記録再生処理装置２２及び映像処理装置２６に多重表示の停止を指示する（Ｓ１７）。この指示に応じて、記録再生処理装置２２は、映像２の出力を停止し、映像処理装置２６は、記録再生処理装置２２の映像１の映像信号のみを表示装置２８に印加する。
【００３０】
多重表示中のＣＭコンテンツ表示枠は、図７に示すように強調されている。多重表示中に、ユーザが操作部１６により多重表示中のＣＭコンテンツの再生を指示すると（Ｓ１３）、制御装置１８は、多重表示の停止とそのＣＭコンテンツの選択再生を記録再生処理装置２２及び映像処理装置２６に指示する（Ｓ１４）。これらの指示に応じて、記録再生処理装置２２は、映像２の出力を停止し、該当するＣＭコンテンツを記録媒体２４から再生して映像１として映像処理装置に出力し、映像処理装置２６は、映像１，２の多重表示のための合成を停止し、記録再生処理装置２２からの映像１の映像信号を表示装置２８に供給する（Ｓ１５）。これにより、選択されたＣＭがフル画面で再生表示される。
【００３１】
以上の処理の間に、ユーザが操作部１６により再生中止を指示すると（Ｓ１８）、制御装置１８は、記録再生処理装置２２に該当するコンテンツの再生中止を指示し、記録再生処理装置２２は、該当するコンテンツの記録情報の記録媒体２４からの読み出しを停止する。
【００３２】
再生の画面例を図８に示す。図８（Ａ）は、記録媒体２４に記録された番組のイメージ図であり、番組本編（Ｓｃｅｎｅ１、Ｓｃｅｎｅ２、Ｓｃｅｎｅ３）と各番組本編の間にＣＭが挿入されて記録されている様子を表わしている。図８（Ｂ）は、従来のＣＭスキップ再生により図８（Ａ）に示す番組を再生したときのイメージ図である。この場合、番組本編のみが再生され、ＣＭが全く再生されない。これに対して、図８（Ｃ）は、本実施例で説明したＣＭスキップ再生により図８（Ａ）に示す番組を再生したときのイメージ図である。
【００３３】
本実施例の場合、スキップされたＣＭがスキップ後における番組本編の再生映像の一部に多重化して小画面内に表示される。このとき表示される小画面のＣＭに対応する音声の再生出力は、禁止とメイン画面の音声との合成出力と選択可能である。そして、図８（Ｃ）のように表示された小画面のＣＭを視聴者が観て、その視聴者にとって興味や関心のあるＣＭであった場合、小画面のＣＭの選択が行われる。その場合、図８（Ｄ）に示すように、番組本編（Ｓｃｅｎｅ３）の再生を中断して、選択されたＣＭの位置まで戻って、そのＣＭの冒頭から通常再生を再開する。
【００３４】
以上のように、本実施例では、コンテンツの再生回数に応じた指定時間だけ、スキップ動作に対して、ＣＭが小画面内に多重表示されるので、ＣＭの露出効果が低減しない。
【実施例２】
【００３５】
図９は、図１に示す実施例の別の多重表示動作のフローチャートを示す。再生が開始されると、制御装置１８は、まず再生対象となるコンテンツに関連付けられて記録されている再生情報を取得する（Ｓ３１）。未再生のコンテンツの場合、再生情報内の再生回数は０回となっている。
【００３６】
通常は、２つの映像の多重表示中ではないので（Ｓ３２）、再生中止の指示（Ｓ３５）、又はＣＭスキップ指示（Ｓ３６）を待つ。
【００３７】
再生中に操作部１６からキップ指示が入力し、そのスキップ対象がそのコンテンツの再生情報内のＣＭコンテンツ情報からＣＭであると判定された場合（Ｓ３６）、制御装置１８は、取得された再生情報内の再生回数情報から、事前の設定に従い表示サイズを決定する（Ｓ３７）。例えば、図１０に示すように、再生回数が０回の場合、表示サイズを表示画面に対して１／４のサイズとし、再生回数が１回の場合、表示サイズを表示画面に対して１／８のサイズとし、表示回数が２回の場合、表示サイズを表示画面に対して１／１６のサイズとし、表示回数が３回以上の場合には、ＣＭコンテンツを表示しない、即ち多重表示をしないと設定しておく。勿論、再生回数と表示サイズとを別の関係で対応付けても良い。制御装置１８は、この表示サイズの設定情報と再生回数とからＣＭコンテンツの多重表示における表示サイズを決定する。
【００３８】
制御装置１８は、スキップ対象となったＣＭコンテンツの、決定された表示サイズによる多重表示を記録再生処理装置２２及び映像処理装置２６に指示する（Ｓ３８）。記録再生処理部装置２２は、スキップ後のコンテンツの再生映像（映像１）と、スキップの対象とされたＣＭコンテンツの再生映像（映像２）を映像処理装置２６に同時に出力し、映像処理装置２６は、映像１（コンテンツ１）に、指定された表示サイズの映像２（コンテンツ２）をオーバーレイした映像信号を生成し、表示装置２８に供給する。これにより、本来のコンテンツ上にＣＭコンテンツが再生回数に応じた表示サイズで多重表示される。
【００３９】
多重表示が、所定時間、経過すると（Ｓ３３）、制御装置１８は、記録再生処理装置２２及び映像処理装置２６に多重表示の停止を指示する（Ｓ３４）。この指示に応じて、記録再生処理装置２２は、映像２の出力を停止し、映像処理装置２６は、記録再生処理装置２２の映像１の映像信号のみを表示装置２８に印加する。
【００４０】
以上の処理の間に、ユーザが操作部１６により再生中止を指示すると（Ｓ３５）、制御装置１８は、記録再生処理装置２２に該当するコンテンツの再生中止を指示し、記録再生処理装置２２は、該当するコンテンツの記録情報の記録媒体２４からの読み出しを停止する。
【００４１】
本実施例により、ＣＭスキップされるＣＭコンテンツを再生回数に応じた表示サイズで表示するので、ＣＭの視聴を確保できる。
【００４２】
図９に示す動作フローでも、図５に示す動作フローのように、小画面のＣＭコンテンツの再生指示に応じて、ＣＭコンテンツをフル画面で最初から再生する機能を追加してもよい。
【図面の簡単な説明】
【００４３】
【図１】本発明の一実施例の概略構成ブロック図である。
【図２】再生情報のフォーマット例である。
【図３】本実施例における再生回数情報の更新手順を示すフローチャートである。
【図４】多重表示を示すイメージ図である。
【図５】第１実施例における多重表示制御手順を示すフローチャートである。
【図６】連続スキップ時の多重表示を示すイメージ図である。
【図７】多重表示時のＣＭメッセージに対する強調枠を示すイメージ図である。
【図８】第１実施例でコンテンツを実際に再生した場合の再生画像の変遷例である。
【図９】第２実施例における多重表示制御手順を示すフローチャートである。
【図１０】第２実施例における再生回数と多重表示サイズの関係を示す模式図である。
【符号の説明】
【００４４】
１０  映像再生装置
１２  アンテナ
１４  チューナ
１６  操作部
１８  制御装置
２０  コンテンツ検出装置
２２  記録再生処理装置
２４  記録媒体
２６  映像処理装置
２８  表示装置
【図１】
2008042333.tif 000003
【図２】
2008042333.tif 000004
【図３】
2008042333.tif 000005
【図４】
2008042333.tif 000006
【図５】
2008042333.tif 000007
【図６】
2008042333.tif 000008
【図７】
2008042333.tif 000009
【図８】
2008042333.tif 000010
【図９】
2008042333.tif 000011
【図１０】
2008042333.tif 000012